(57)【特許請求の範囲】
【請求項１】
音声信号あるいは音声・映像信号を出力する複数の信号発生装置と、前記複数の信号発生装置から再生する信号発生装置を選択するメインコントロールユニットと、前記複数の信号発生装置から後席で再生する信号発生装置を選択するリアコントロールユニットとを少なくとも備える車載用オーディオビジュアル再生装置において、
前記リアコントロールユニットの電源をオンしたときに、前記リアコントロールユニットが後席で再生する信号発生装置として、直前の電源オフ時に選択していた信号発生装置ではなく、前記メインコントロールユニットが選択している信号発生装置を選択する制御手段を設けたことを特徴とする車載用オーディオビジュアル再生装置。
【発明の詳細な説明】
【０００１】
【発明の属する技術分野】
本発明は車載用のオーディオビジュアル再生装置に関するもので、ＣＤプレーヤー、ＭＤプレーヤー、カセットテーププレーヤー、ＦＭ／ＡＭチューナ等の音声信号を出力する装置や、ＴＶチューナ、ＤＶＤプレーヤー等の様に映像・音声信号を出力する装置を複数搭載した車載システムで、後席に設けられ、後席の人が好みの装置を選択することを可能にするものである。
【０００２】
【従来の技術】
従来、車両に搭載された前述の様なオーディオ・ビジュアル装置は、前席のフロントダッシュボードに設けられた制御ユニット（ヘッドユニット）で再生する装置が選択されるようになっている。
【０００３】
また、近年では、後席にもリアコントロールユニットを設け、後席の人が好む、前席のヘッドユニットで選択された装置とは別の装置を独自に選択し、後席では前席とは別の装置から再生される音声又は映像・音声を楽しむことができる装置がリアエンターテイメントシステムとして紹介されてきている。
【０００４】
このようなリアエンターテイメントシステムは、リアコントロールユニットの使用を一旦停止した後（通常はリアコントロールユニットの電源がオフ状態となる）、再使用（リアコントロールユニットの電源をオン状態とする）する場合、リアコントロールユニットが直近の電源切断時に再生していた装置を選択するようになっている（例えば、電源が切断される直前までＣＤプレーヤーを選択していた場合、引き続く電源オン状態への変移でリアコントロールユニットは再生ソースとして電源切断の直前まで再生していたＣＤプレーヤーの演奏曲を再生しようとする）。この動作モードを一般的にラストモード復帰動作という。
【０００５】
【発明が解決しようとする課題】
上記の様なラストモード復帰動作を行うためには、リアコントロールユニット内に電源切断前に選択していたソースならびにその詳細を記憶しておく必要があり、リアコントロールユニット内部にメモリを持たねばならず、また、記憶したモードを管理制御するための回路制御機構ならびにソフトウェアが必要であり、リアコントロールユニットのコストアップの要因となっている。
【０００６】
また、リアコントロールユニットの電源切断中にリアコントロールユニットが記憶しているラストモードの対象となるソースが取り外されていた場合（例えば、タイトルＡのＣＤの曲がラストモードとして記憶されている場合で、ＣＤがタイトルＢに変更されていた場合）リアコントロールユニットが記憶していたラストモードをメインコントロールユニットが選択することができず、メインコントロールユニットはエラー処理をリアコントロールユニットに返答し、このエラー解除動作を操作者が行う必要がある。
【０００７】
また、リアコントロールユニットを使用して後席の左右で別々の音響・映像源を楽しもうとする場合、ヘッドホンを接続することで互いの音源の影響を受けることなく楽しむことができるが、この場合リアコントロールユニットの電源オン／オフ操作はリアコントロールユニットのパネルに設けられたボタン操作を必要とし、操作者にとって煩わしいものであった。
【０００８】
本発明の目的は、上記の課題に鑑み、複雑なモード管理動作をリアコントロールユニットで行うことなく、かつ、リアコントロールユニットの電源制御動作を簡潔に行う装置を提供することを目的としている。
【０００９】
【課題を解決するための手段】
上記課題を達成するため、本発明は、音声信号あるいは音声・映像信号を出力する複数の信号発生装置と、前記複数の信号発生装置から再生する信号発生装置を選択するメインコントロールユニットと、後席で再生する信号発生装置を選択するリアコントロールユニットとを少なくとも備える車載用オーディオビジュアル再生装置において、前記リアコントロールユニットの電源をオンしたときに、前記リアコントロールユニットが後席で再生する信号発生装置として前記メインコントロールユニットが選択している信号発生装置を選択する制御手段を設けている。
【００１０】
また、本発明では、更に、前記リアコントロールユニットの電源のオン／オフを前記リアコントロールユニットに設けられたヘッドホンプラグへのヘッドホンの挿脱動作に応じて制御する制御部を設けることで、リアコントロールユニットのパネルに設けられたボタン操作を行うことなく自動的に電源のオン／オフ制御を行うようにしている。
【００１１】
【発明の実施の形態】
以下、本発明の一つの実施例を説明する。
【００１２】
図1は、本発明に係る車載用オーディオビジュアル再生装置の一例を示す。
１はメインコントロールユニットを表わし、通常車両の前部ダッシュボードに装着され、ＴＶチューナ５１、ＤＶＤプレーヤー５２、ＡＭ／ＦＭラジオ５３、ＣＤプレーヤー５４、ＭＤプレーヤー５５、テーププレーヤー５６等の音声信号あるいは音声・映像信号を発生する複数の外部装置と接続され、これらの装置から再生する装置を選択する。リアコントロールユニット２は、後席の、例えばセンターアームレスト等に装着され、後席に座る人が好む音楽を選択するために設けられる。メインコントロールユニット1で選択された装置はそれぞれフロントスピーカ５Ｌ、５Ｒ、リアスピーカ６Ｌ、６Ｒまたはリアコントロールユニット２に接続されるヘッドホン７Ｌ、７Ｒで音声信号が再生され、映像信号は、フロントディスプレイ３、リアディスプレイ４Ｌ、４Ｒで再生される。ここで、各符号の後ろに付けられているアルファベットでＬは左側、Ｒは右側を意味する。
【００１３】
図2はメインコントロールユニット１ならびにリアコントロールユニット２の内部構成の概要を示すものである。
メインコントロールユニット１には、運転者等車両の前席に座る人が操作するメインユニット操作入力部１２が設けられ、このメインユニット操作入力部１２で入力された操作情報がメインユニット操作制御部１０に送られる。外部装置制御／信号入力部１４は、図1に例示される外部装置から送られる信号ならびにメインユニット操作制御部１０からの制御情報に基づき各外部装置へ送出する制御信号のインターフェース部を備え、また、メインユニット操作制御部10からの制御情報に基づき、メインコントロールユニット１が選択した装置の音声あるいは音声・映像信号を音声信号再生部１８ならびに映像信号再生部１５に送出する。また、リアコントロールユニット２のリアユニット操作入力部２２によって後席の操作者が選択した装置の選択情報をメインユニット操作制御部１０を介して受け付け、リアコントロールユニットが選択した装置の音声あるいは音声・映像信号を信号送出部(左)１６あるいは信号送出部(右)１７のいずれか、あるいは双方に送出する。
映像信号再生部１５は、外部装置制御／信号入力部１４から送られてきた映像信号をメインユニット操作制御部１０からの制御信号に基づきフロントディスプレイ３で再生する。
音声信号再生部１８は、同様に、外部装置制御／信号入力部１４から送られてきた音声信号をフロントスピーカ５Ｌ、５Ｒで再生し、メインユニット操作制御部１０からの制御信号に応じて、リアスピーカ６Ｌ、６Ｒで再生する。
【００１４】
図５にリアコントロールユニット２の一例を示す。
このリアコントロールユニット２には、左右席それぞれの人のために外部装置を選択するための外部装置選択スイッチ部３６Ｌ、３６Ｒと、選択された外部装置とその操作状況を表示する表示部３２Ｌ、３２Ｒと、選択された外部装置の操作を行うための操作スイッチ３８Ｌ、３８Ｒと、ヘッドホン７Ｌ、７Ｒが接続されるヘッドホンプラグホルダ３０Ｌ、３０Ｒ、ならびに外部装置から再生される音量を調整するためのボリューム３４Ｌ、３４Ｒとが、リアユニット操作入力部２２を構成している。
【００１５】
リアユニット操作入力部２２の操作情報はリアユニット操作制御部２０に送られ、リアユニット操作制御部２０は操作情報をメインコントロールユニット１のメインユニット操作制御部１０に送出する。
【００１６】
信号受信部（左）２３ならびに信号受信部（右）２４は、メインコントロールユニット１から送信されてくる信号を受信し、映像再生部（左）２５、音声再生部（左）２６、映像再生部（右）２７、音声再生部（右）２８の各部に送出する。
【００１７】
前述のヘッドホンプラグホルダ（左）３０Ｌならびにヘッドホンプラグホルダ（右）３０Ｒは、リアコントロールユニット２内部の基板４５の上に設置され、それぞれのホルダの後方には、同じ基板４５上に検出スイッチ４２L、４２Rが取り付けられている（図４参照）。
検出スイッチ４２Lの検出ボタン４２ａが、ヘッドホンプラグホルダ(左)３０Lに、検出スイッチ４２Rの検出ボタン４２ａが、ヘッドホンプラグホルダ(右)３０Rに対向するよう、それぞれ設置されている。ヘッドホン７Lまたは７Rのヘッドホンプラグ４０Ｌ、４０Ｒのいづれかがヘッドホンプラグホルダ３０Lまたは３０Rに差し込まれると、ヘッドホンプラグ４０Ｌあるいは４０Ｒの先端部４０ａが検出スイッチ４２Ｌまたは４２Ｒの検出ボタン４２ａを押し、ヘッドホンプラグ４０Ｌまたは４０Ｒのいづれかが差し込まれたことを検出するようになっている。
【００１８】
以下、本発明に係る車載用オーディオビジュアル再生装置の動作を図３のタイミングチャートに基づき説明する。
【００１９】
いま、メインコントロールユニット１が再生する外部装置としてＡＭ／ＦＭラジオ５３のＦＭ放送を選択しており、フロントスピーカー５Ｌ，５Ｒならびにリアスピーカー６Ｌ、６ＲからＦＭ放送の音声が再生されている（時間t1に至る前の段階）。
【００２０】
ここで、後席左側に座っている人が、ヘッドホン７Lのヘッドホンプラグ４０をリアコントロールユニット２に設けられたヘッドホンプラグホルダ(左)３０Lに差し込むと（時間t1）、ヘッドホンプラグホルダ(左)３０Lに設けられた検出スイッチ４２の検出出力に基づき、リアコントロールユニット２の電源が投入されるとともに、検出スイッチ４２の検出出力がリアユニット操作制御部２０に送られる。この検出出力は、後席左側のヘッドホンプラグがヘッドホンホルダ(左)３０Ｌに差し込まれたことを表わし、リアユニット操作制御部２０は、この操作情報をメインユニット操作制御部１０に送る。
【００２１】
メインユニット操作制御部１０は、リアユニット操作制御部20からの操作情報に基づき、現在メインコントロールユニット１が選択している外部装置（ＡＭ／ＦＭラジオ５３）からのＦＭ放送の信号を信号送出部(左)１６に送出するよう外部装置制御／信号入力部１４に指示し、メインコントロールユニット１が選択しているＦＭ放送の信号が信号送出部(左)１６からリアコントロールユニット２の信号受信部(左)２３に送られ、音声再生部(左)２６、からヘッドホンプラグホルダ(左)３０Ｌを通じて、ヘッドホン７Ｌへ受信中のＦＭ放送の音声が流される。
【００２２】
後席左側の人がＣＤプレーヤーの演奏を楽しむため、リアコントロールユニット２の外部装置選択スイッチ部３６Lを操作してＣＤプレーヤー５４を再生する装置として選択すると（時間t2）、その操作情報がリアユニット操作制御部２０を介して、メインユニット操作制御部１０に送られ、メインユニット操作制御部10は、外部装置制御／信号入力部１４に後席左側の選択装置としてＣＤプレーヤー５４の選択を指示し、外部装置制御／信号入力部１４は、選択したＣＤプレーヤー５４から受信した信号を信号送出部(左)１６に送り、ヘッドホン７LからＣＤプレーヤーの再生音が流される。
【００２３】
次に、後席右側に座っている人がヘッドホン７Ｒのヘッドホンプラグ４０をヘッドホンプラグホルダ３０Ｒに差し込む（時間t3）と、既にリアコントロールユニットの電源は投入されているので、ヘッドホンプラグホルダ(右)３０Rにヘッドホンプラグ４０が差し込まれたことが検出スイッチ４２Rで検出され、その情報がリアユニット操作制御部２０を介して、メインユニット操作制御部１０に送られる。
【００２４】
メインユニット操作制御部１０は、リアユニット操作制御部20からの操作情報に基づき、現在メインコントロールユニット１が選択している外部装置（ＡＭ／ＦＭラジオ５３）からのＦＭ放送の信号を信号送出部(右)１７に送出するよう外部装置制御／信号入力部１４に指示し、メインコントロールユニット１が選択しているＦＭ放送の信号が信号送出部(右)１７からリアコントロールユニット２の信号受信部(右)２４に送られ、音声再生部(右)２７、からヘッドホンプラグホルダ(右)３０Ｒを通じて、ヘッドホン７Ｒへ受信中のＦＭ放送の音声が流される。
【００２５】
メインコントロールユニット１が運転者等の前席に座る人による操作で、選択している外部装置がＡＭ／ＦＭラジオ５３からＭＤプレーヤー５５に変更されたとしても（時間t4）、リアコントロールユニット２のために外部装置制御／信号入力部１４が選択している装置は影響されず、後席左側には時間t2で選択されたＣＤプレーヤー５４が、後席右側には、時間t3で選択されたＡＭ／ＦＭラジオ５３のＦＭ放送がそれぞれ引き続き再生される。
【００２６】
次に、後席左側の人が外部装置選択スイッチ部３６LによりＭＤプレーヤー５５を選択すると（時間t5）、外部装置制御／入力信号部１４はＭＤプレーヤー５５からの信号を信号送出部(左)１６に送出する。
この時、ＭＤプレーヤー５５はメインコントロールユニット1の再生装置として既に選択されている（時間t4）ため、信号送出部(左)１６に送出される信号は、時間t5の時点で、メインコントロールユニット１のためにＭＤプレーヤー５５が再生している信号と同じ物が信号送出部(左)１６からリアコントロールユニット２の信号受信部(左)２３で受信され、音声再生部(左)２６により再生音声としてヘッドホン７Ｌで再生される。
【００２７】
次に、後席左側の人が再生する装置としてＭＤプレーヤー５５からＤＶＤプレーヤー５２を選択すると（時間t6）、外部装置選択スイッチ部３６Lの操作情報がリアユニット制御操作部２０を介して、メインユニット操作制御部１０に送られ、外部装置制御／信号入力部１４で後席左側の選択装置としてＤＶＤプレーヤー５２が選択され、その信号が信号送出部(左)１６から信号受信部(左)２３に送られる。信号受信部(左)２３が受信した信号は、映像信号は映像再生部(左)２５によりリアディスプレイ(左)４Ｌで再生され、音声信号は音声再生部(左)２６によりヘッドホン７Ｌでそれぞれ再生される。
【００２８】
後席右側の人が、外部装置選択スイッチ部３６Rを操作してＭＤプレーヤー５５を選択すると（時間t7）、その操作情報がリアユニット操作制御部２０からメインユニット操作制御部１０に送られ、外部装置制御／信号入力部１４が後席右側の選択装置としてＭＤプレーヤー５５を選択し、その信号を信号送出部(右)１７から信号受信部(右)２４に送る。なお、ＭＤプレーヤー５５はメインコントロールユニット１の選択装置として既に選択済みであるため、信号受信部(右)２４に送られるＭＤプレーヤー５５の信号は、時間t7時点でメインコントロールユニット１が再生している信号と同じ信号である。
【００２９】
信号受信部(右)２４で受信されたＭＤプレーヤー５５の信号は、音声再生部(右)２７によりヘッドホン７Ｒで再生される。
【００３０】
後席左側の人がヘッドホン７Ｌのヘッドホンプラグ４０Ｌをヘッドホンプラグホルダ３０Ｌから抜くと（時間t8）、ヘッドホンプラグ４０Ｌの先端部４０ａが検出スイッチ４２Ｌの検出ボタン４２ａから離れるため、ヘッドホンプラグ４０Ｌがヘッドホンプラグホルダ３０Ｌから抜かれたことを検出スイッチ４２Ｌが検出し、その情報をリアユニット操作制御部２０を介して、メインユニット操作制御部１０に送出する。
このとき、ヘッドホンプラグの一方が抜かれたことで、メインコントロールユニット１は、リアスピーカー６Ｌ、６Ｒにより、メインコントロールユニット１が選択している装置(この場合は、ＭＤプレーヤー５５)の音声の再生を再開する。
【００３１】
メインユニット操作制御部１０は、後席左側のヘッドホンプラグ４０Lが抜かれたことに基づき、外部装置制御／信号入力部１４に後席左側への信号送出の停止を指示し、外部装置制御／信号入力部１４は信号送出部(左)１６への信号送出を停止する。
【００３２】
後席右側の人がヘッドホン７Rのヘッドホンプラグ４０Rをヘッドホンプラグ３０Rから引き抜くと（時間t9）、同様に検出スイッチ４２Rがその操作を検出し、外部制御装置／信号入力部１４は、信号送出部(右)１７への信号を停止する。
この時、既にヘッドホンプラグホルダ３０Lからヘッドホンプラグ４０Lが抜かれているため（時間ｔ8）、リアユニット操作制御部２０は、リアコントロールユニット２の電源を切断する。
【００３３】
リアコントロールユニット２の装置選択がなされていないときに、メインコントロールユニット１の選択装置がMDプレーヤー５５からCDプレーヤー５４に変更され（時間t10）、その後、後席右側のヘッドホン７Ｒのヘッドホンプラグ４０Ｒがヘッドホンプラグホルダ３０Ｒに挿入されたことが検出スイッチ４２Ｒにより検出されると（時間t11）、リアコントロールユニット２の電源が投入され、リアユニット操作制御部２０からメインユニット操作制御部１０に後席右側のヘッドホンプラグホルダ(右)３０Rにヘッドホンプラグ４０Rが挿入されたことを通知し、メインユニット制御部１０は、外部装置制御／信号入力部１４にメインコントロールユニット１が選択している外部装置であるＣＤプレーヤー５４の信号を信号送出部(右)１７に送るよう指示を出し、ＣＤプレーヤー５４の信号が信号送出部(右)１７、信号受信部(右)２４を介して、音声再生部(右)２７によりヘッドホン７Ｒで再生される。
このとき、リアコントロールユニット2は、直前の電源切断前に後席右側のために選択されていた外部装置であるＭＤプレーヤー５５ではなく、ヘッドホン７Ｒのヘッドホンプラグ４０Ｒがヘッドホンプラグホルダ(右)３０Ｒに挿入された時点で、メインコントロールユニット１が選択している装置（この場合は、ＣＤプレーヤー５４）を選択する。
【００３４】
次に、メインコントロールユニット1が装置の選択を無くし、再生を止めた後（時間t12）、後席左側の人がヘッドホン７Lのヘッドホンプラグ４０Lをヘッドホンプラグホルダ(左)３０Lに挿入すると（時間t13）、検出スイッチ４２Lがその操作を検出し、リアユニット操作制御部２０を介して、その情報がメインユニット操作制御部１０に送出される。
【００３５】
メインユニット操作制御部１０は、外部装置制御／信号入力部１４に指示してメインコントロールユニット１が選択している外部装置の信号を後席左側に送ろうとするが、この時点で、メインコントロールユニット１は外部装置を選択していないため、後席左側への装置は選択されず、後席左側の人により装置が選択されるまでは、再生がなされない状態となる。
【００３６】
後席左側の人による装置選択前に、後席右側の装置として、ＤＶＤプレーヤー５２が外部装置選択スイッチ部３６Rにより選択されると（時間t14）、リア制御操作部２０からメインユニット操作制御部１０に選択情報が送出され、外部装置制御／信号入力部１４がＤＶＤプレーヤー５２からの信号を信号送出部(右)１７から信号受信部(右)２４に送出し、映像信号が映像再生部(右)２８によりリアディスプレイ(右)４Ｒで再生され、音声信号が音声再生部(右)２７によりヘッドホン７Ｒで再生される。
【００３７】
後席左側の人が、再生装置の選択がない状態（時間t13）から、再生する装置としてＤＶＤプレーヤー５２を外部装置選択スイッチ部３６Lから選択すると（時間t15）、選択情報がリアユニット操作制御部２０を介してメインユニット操作制御部１０に送られ、外部装置制御／信号入力部１４が信号送出部(左)１６にＤＶＤプレーヤー５２からの信号を送出する。
【００３８】
この時、ＤＶＤプレーヤー５２は、既に後席右側により選択されているため、信号送出部(左)１６に送られるＤＶＤプレーヤー５２の信号は、既に外部装置制御／信号入力部１４から信号送出部(右)１７に送られている信号と同じ信号となり、信号受信部(左)２３で受信され、映像再生部(左)２５ならびに音声再生部(左)２６でそれぞれ再生される映像信号ならびに音声信号は、映像再生部(右)２８ならびに音声再生部(右)２７で再生されている映像ならびに音声信号と同じ信号である。
【００３９】
前述の例では、メインコントロールユニット１側に全ての装置を接続している場合について説明したが、例えば、ＤＶＤプレーヤー５２などは、手元で再生するディスクを交換したい場合等があり、そのため、このＤＶＤプレーヤー５２を後席側に設置し、リアコントロールユニットに直接接続することも可能である。この場合、左側ならびに右側のそれぞれに専用のＤＶＤプレーヤー５２を設置し、個別に操作することも可能である。
前述の場合でも、本発明では、後席左側あるいは右側の座席の最初の装置選択は、メインコントロールユニットが選択している装置を選択し、その後の操作で、リアコントロールユニットに接続されたＤＶＤプレーヤーを選択するようにすれば、ＤＶＤディスクがリアコントロールユニットの電源切断中に交換されたとしても、論理矛盾を引き起こすことがなくなる。
【００４０】
また、リアスピーカー６Ｌ、６Ｒの再生をヘッドホンプラグホルダ３０Ｌ、３０Ｒへのヘッドホンプラグ４０Ｌ、４０Ｒの挿脱状態に応じて自動的に制御する方式を併せて説明しているが、当然のことながら、リアスピーカーにおける再生は、リアユニット操作入力部２２にリアスピーカー６L、６Rの操作ボタンを設けて制御することもできる。
【００４１】
【発明の効果】
以上説明したように、本発明は、複数の信号発生装置と、これらの信号発生装置から再生する信号発生装置を選択するメインコントロールユニットと、後席側で再生する信号発生装置を選択するリアコントロールユニットとを備えた車載用オーディオビジュアル再生装置において、リアコントロールユニットの電源投入時にリアコントロールユニットが再生する信号発生装置として、メインコントロールユニットが選択している信号発生装置を選択する制御手段を設けたため、リアコントロールユニット側で直近の電源切断時に再生していた信号発生装置を記憶しておく必要がなく、リアコントロールユニットの構成を簡単にできるとともに、リアコントロールユニットは電源投入時にメインコントロールユニットが選択している信号発生装置選択するように制御されるので、ラストモード復帰の際の論理矛盾を引き起こすことがないとの効果を有する。
また、更に本発明は、リアコントロールユニットに設けられたヘッドホン接続端子へのヘッドホンの接続プラグの挿脱動作に基づき、リアコントロールユニットの電源供給をオン／オフさせる様にしたため、リアコントロールユニットの電源管理が容易にできるとの効果をも有するものである。
【図面の簡単な説明】
【図１】本発明の車載用オーディオビジュアル再生装置のシステム構成の一例を示す図
【図２】本発明のメインコントロールユニット（フロント）とリアコントロールユニットの内部構成概要を示す図
【図３】メインコントロールユニット、リアコントロールユニットの装置選択のタイムチャートの一例を示す図
【図４】ヘッドホンプラグホルダの構成の一例を示す図
【図５】リアコントロールユニットの構成の一例を示す図
【符号の説明】
1 メインコントロールユニット
2 リアコントロールユニット
3 フロントディスプレイ
4L リアディスプレイ（左）
4R リアディスプレイ（右）
5L フロントスピーカー（左）
5R フロントスピーカー（右）
6L リアスピーカー（左）
6R リアスピーカー（右）
7L ヘッドホン（左）
7R ヘッドホン（右）
10 メインユニット操作制御部
12 メインユニット操作入力部
14 外部装置制御／信号入力部
15 映像信号再生部
16 信号送出部（左）
17 信号送出部（右）
18 音声信号再生部
20 リアユニット操作制御部
22 リアユニット操作入力部
23 信号受信部（左）
24 信号受信部（右）
25 映像信号再生部（左）
26 音声再生部（左）
27 音声再生部（右）
28 映像再生部（右）
30L ヘッドホンプラグホルダ(左)
30R ヘッドホンプラグホルダ(右)
36L、36R 外部装置選択スイッチ部
40L、40R ヘッドホンプラグ
42L、42R 検出スイッチ
45 基板
51 ＴＶチューナ
52 ＤＶＤプレーヤー
53 ＡＭ／ＦＭラジオ
54 ＣＤプレーヤー
55 ＭＤプレーヤー
56 テーププレーヤー
【図１】
0004132484.tif 000002
【図２】
0004132484.tif 000003
【図３】
0004132484.tif 000004
【図４】
0004132484.tif 000005
【図５】
0004132484.tif 000006